(57)【要約】【課題】換気扇フードの取付構造に於けるシール作業を容易かつ迅速にして作業性向上を図り、シール作業完了後に該換気扇フードの取付部分の美麗化を実現し、施工工事の品質向上をする技術を提供する。【解決手段】壁１３の壁面開口部１４に各種形状の換気扇フード１５を被覆するように取付け、該換気扇フード１５のフードフランジ１５ｂの外縁部１５ｃに所定間隔Ｇ１を有して対向してあって、室外壁面１３ａ上に表面紙１６ｂ、該表面紙１６ｂに接着剤１６ｃを介して貼着する剥離紙１６ｄでなる密封シート１６を貼着し、該密封シート１６の側縁部１６ａの上面及び前記フードフランジ１５ｂの上面上に、例えばガラスパテ、油性コーキング材、弾性シーラント又は液状ガスケット等のシール剤１７を塗布した後、貼着した該密封シート１６を室外壁面１３ａ上から前記密封シート１６の表面紙１６ｂ上の、例えばガラスパテ、油性コーキング材、弾性シーラント又は液状ガスケット等のシール剤残留部分すなわち取外し部分Ｌと一緒に剥離してなる換気扇フード用取付け密封シート及び密封方法である。【選択図】図１
2004028383.tif 000002
【特許請求の範囲】
【請求項１】
換気扇フードのフードフランジの形状と略同一形状の貫通孔を略中央部に穿設したシートであって、該シートが表面紙と、該表面紙の裏面に塗布した接着剤を介して該表面紙に接離自在に貼着した剥離紙とで構成したことを特徴とする換気扇フード用取付け密封シート。
【請求項２】
前記シートの表面紙が２分割した表面紙であって、該２分割した表面紙の側縁部を衝合したことを特徴とする請求項１記載の換気扇フード用取付け密封シート。
【請求項３】
前記シートの表面紙が２分割した表面紙であって、該２分割した表面紙の側縁部を重畳すると共に、その一方を剥離片にしたことを特徴とする請求項１記載の換気扇フード用取付け密封シート。
【請求項４】
換気扇フードのフードフランジの一方及び他方の形状と略同一の形状の凹陥を形成した１枚のシートであって、該１枚のシートが表面紙と裏面紙を略同一の材質及び寸法で構成すると共に、該表面紙と裏面紙間に接着剤を介して着脱自在に貼着したことを特徴とする換気扇フード用取付け密封シート。
【請求項５】
換気扇フードのフードフランジの一方及び他方の形状と略同一の形状の凹陥を形成した２枚の組でなるシートであって、該２枚の組のシートがそれぞれ表面紙と、該表面紙の裏面に塗布した接着剤を介して該表面紙に接離自在に貼着した剥離紙とで構成したことを特徴とする換気扇フード用取付け密封シート。
【請求項６】
換気扇フードのフードフランジの形状と略同一形状の貫通孔を略中央部に穿設したシートであって、該シートが２分割した表面紙と、該表面紙の裏面に塗布した接着剤を介して該表面紙に接離自在に貼着した単一の剥離紙とで構成したことを特徴とする換気扇フード用取付け密封シート。
【請求項７】
前記フードフランジの形状が略円形、略馬蹄形又は略矩形でなることを特徴とする請求項１、２、３、４、５又は６記載の換気扇フード用取付け密封シート。
【請求項８】
建物の壁と、該壁の一部に設けた壁面開口部と、該壁面開口部に取付ける換気扇フードのフードフランジでなる構成に於いて、前記請求項１ないし７記載のいずれかの換気扇フード用取付け密封シートの表面紙又は裏面紙の側縁部を、本体枠を含む室外側壁面上であって前記フードフランジの外縁部に所定間隔を有して対向した位置に貼着し、該密封シートの側縁部及び前記該換気扇フードのフードフランジ上にシール剤を塗布した後、該密封シートを該室外側壁面上から剥離したことを特徴とする換気扇フードの密封方法。
【発明の詳細な説明】
【０００１】
【発明が属する技術分野】
本発明は、家庭及び業務上に用いられる換気扇に於ける換気扇フード用取付け密封シート及び換気扇フードの取付け密封方法に関するものである。
【０００２】
【従来の技術】
従来、この種の換気扇フードの取付け密封構造の一例としては図６に示すような構成であった。これについて説明すれば、１は建物等の壁であり、壁面開口部２が設けられている。３は換気扇フードであって、正面から見た形状は略馬蹄形状であり、該壁面開口部２を被覆するように取付けられている。該換気扇フード３の下面は開口４が形成されている。５は略中央部が貫通穴５ｂとなりその外縁部５ａを段差状に形成した本体枠であって、前記壁面開口部２及び室外側壁面１ａ上に取付けられている。該本体枠外縁部５ａの上面は前記換気扇フード３と略同一形状、つまり、略馬蹄形状をした取付けフランジすなわちフードフランジ３ａが重設されている。また、６はシャッタであって１枚の平板でなり、その一端はシャッタピン６ａ等で前記換気扇フード３に対して回動自在に支承されている。該シャッタ６は、開閉器等でなる駆動機構７に連結したワイヤ８の一端を該駆動機構７による引張り動作で仮想線で示すように前記本体枠５の貫通穴５ｂを矢視Ａ方向に示すように閉止し、また該本体枠５の貫通穴５ｂを矢視Ｂ方向に示すように開放する構成となっている。
図中、９は前記駆動機構７の取付台であって、前記駆動機構７を戴置する。また、６ｂは前記シャッタ６に設けられかつワイヤ８の他端を接続したワイヤ係止片である。１０は換気扇、１ｂは前記壁１の室内側壁面である。
【０００３】
このような構成において、前記本体枠５の外縁部５ａ及びそれに重設する換気扇フード３のフードフランジ３ａでなる重合部分Ｃは、例えばガラスパテ、油性コーキング材、弾性シーラント又は液状ガスケット等のシール剤１０を塗布し、これにより前記壁１の室外側壁面１ａと前記本体枠５の外縁部５ａ及び該換気扇フード３のフードフランジ３ａとを密封している。
【０００４】
また、従来の技術に於ける換気扇フードの取付け密封構造の他の例としては図７に示すような構成であった。これについて説明すれば、１は建物等の壁であり、壁面開口部２が設けられている。１１は換気扇フードであって、正面から見た形状は略円形状であり、該壁面開口部２を被覆するように取付けられている。該換気扇フード１１の下面は開口１１ａが形成されている。そして、当該図７に示す従来の技術の他の例では、前述した従来の技術の一例の場合と相違する点は、前記壁１の室外側壁面１ａ上に本体枠５を設けることなく、換気扇フード１１のフードフランジ１１ｂを直接に接合又は重合させた点である。
【０００５】
このような構成において、前記壁１の室外側壁面１ａと接合又は重合する換気扇フード１１のフードフランジ１１ｂの部分にシール剤１２を塗布し、前記壁１の室外側壁面１ａと該換気扇フード１１のフードフランジ１１ｂとを密封している。当該従来の技術に於ける他の構成部分は前記図６に示す従来の技術と略同一であるので、同一番号を付しその説明を省略する。
【０００６】
【発明が解決しようとする課題】
従来の技術は、叙上の換気扇フードの取付け密封構造であるので、次の課題が存在した。
前者に於いては、図６に示すように、前記本体枠５の外縁部５ａ及びそれに重設する換気扇フード３のフードフランジ３ａでなる重合部分Ｃには、作業員による手作業によって、例えばガラスパテ、油性コーキング材、弾性シーラント又は液状ガスケット等の該シール剤１０を塗布する。而して、該作業員の熟練度等によって、例えばガラスパテ、油性コーキング材、弾性シーラント又は液状ガスケット等の該シール剤１０の塗布量が増減変更すると共に、塗布した後に於ける例えばガラスパテ、油性コーキング材、弾性シーラント又は液状ガスケット等の該シール剤１０の外縁Ｄ部分が不揃いとなり、該換気扇フード３をその正面から見た場合、整然でなく美麗感に欠けると共に該換気扇フード３の商品価値を低下させるという問題点があった。
【０００７】
また、後者に於いても、図７に示すように前者と同様な理由により、例えばガラスパテ、油性コーキング材、弾性シーラント又は液状ガスケット等のシール剤１２の外縁Ｅ部分が不揃いの凹凸状線や不揃いの鋸歯状線等として形成され、該換気扇フード１２の商品価値の低下ひいては施工工事品質低下を惹起せしめるという問題点があった。
【０００８】
【課題を解決するための手段】
本発明は、建物の壁の一部に設けた壁面開口部と、該壁面開口部に取付ける換気扇フードのフードフランジとでなる構成に於いて、前記換気扇フードのフードフランジの外縁部に所定間隔を有して室外側壁面上に所定の密封シートを貼着し、該密封シートの側縁部上及び前記換気扇フードのフードフランジの外縁部上にシール剤を塗布した後、該密封シートを該室外側壁面上から剥離してなる密封シート及び換気扇フードの取付け密封方法を提供することにより、該換気扇フードの取付部位の密封作業を非熟練者でもって迅速かつ容易にすると共に、密封作業完了後は塗布したシール剤による不揃いをなくして換気扇フードの取付廻りを美麗に仕上げること及びその商品価値を向上させることを目的としたものであって、次の構成、手段から成立する。
【０００９】
請求項１記載の発明によれば、換気扇フードのフードフランジの形状と略同一形状の貫通孔を略中央部に穿設したシートであって、該シートが表面紙と、該表面紙の裏面に塗布した接着剤を介して該表面紙に接離自在に貼着した剥離紙とで構成したことを特徴とする換気扇フード用取付け密封シートである。
【００１０】
請求項２記載の発明によれば、前記シートの表面紙が２分割した表面紙であって、該２分割した表面紙の側縁部を衝合したことを特徴とする請求項１記載の換気扇フード用取付け密封シートである。
【００１１】
請求項３記載の発明によれば、前記シートの表面紙が２分割した表面紙であって、該２分割した表面紙の側縁部を重畳すると共に、その一方を剥離片にしたことを特徴とする請求項１記載の換気扇フード用取付け密封シートである。
【００１２】
請求項４記載の発明によれば、換気扇フードのフードフランジの一方及び他方の形状と略同一の形状の凹陥を形成した１枚のシートであって、該１枚のシートが表面紙と裏面紙を略同一の材質及び寸法で構成すると共に、該表面紙と裏面紙間に接着剤を介して着脱自在に貼着したことを特徴とする換気扇フード用取付け密封シートである。
【００１３】
請求項５記載の発明によれば、換気扇フードのフードフランジの一方及び他方の形状と略同一の形状の凹陥を形成した２枚の組でなるシートであって、該２枚の組のシートがそれぞれ表面紙と、該表面紙の裏面に塗布した接着剤を介して該表面紙に接離自在に貼着した剥離紙とで構成したことを特徴とする換気扇フード用取付け密封シートである。
【００１４】
請求項６記載の発明によれば、換気扇フードのフードフランジの形状と略同一形状の貫通孔を略中央部に穿設したシートであって、該シートが２分割した表面紙と、該表面紙の裏面に塗布した接着剤を介して該表面紙に接離自在に貼着した単一の剥離紙とで構成したことを特徴とする換気扇フード用取付け密封シートである。
【００１５】
請求項７記載の発明によれば、前記フードフランジの形状が略円形、略馬蹄形又は略矩形でなることを特徴とする請求項１、２、３、４、５又は６記載の換気扇フード用取付け密封シートである。
【００１６】
請求項８記載の発明によれば、建物の壁と、該壁の一部に設けた壁面開口部と、該壁面開口部に取付ける換気扇フードのフードフランジでなる構成に於いて、前記請求項１ないし７記載のいずれかの換気扇フード用取付け密封シートの表面紙又は裏面紙の側縁部を、本体枠を含む室外側壁面上であって前記フードフランジの外縁部に所定間隔を有して対向した位置に貼着し、該密封シートの側縁部及び前記該換気扇フードのフードフランジ上にシール剤を塗布した後、該密封シートを該室外側壁面上から剥離したことを特徴とする換気扇フードの密封方法である。
【００１７】
【発明の実施の形態】
以下、添付図面に基づき、本発明に係る換気扇フード用取付け密封シート及び換気扇フードの取付け密封方法の実施の形態について説明する。
【００１８】
図１は、本発明に係る換気扇フード用取付け密封シート及び換気扇フードの取付け密封方法の実施の形態を示す斜視図である。
図２は、図１に於ける建物等の壁の壁面開口部に装着した換気扇フードのフードフランジに、例えばガラスパテ、油性コーキング材、弾性シーラント又は液状ガスケット等のシール剤を塗布した状態を示すもので、図１の矢視Ｆ−Ｆ方向の拡大断面図である。
【００１９】
図１に於いて、１３は建物や各種建造物等の壁であり、壁面開口部１４が設けられている。１５はステンレス鋼材料等でなる換気扇フードであって、正面から見た形状は略円形であり、図２に示すように該壁面開口部１４を被覆するように取付けられている。換気扇フード１５の下面は開口１５ｄが形成されている。前記換気扇フードの裾１５ａからは、例えば該換気扇フード１５と略同一形状つまり略円形状の取付けフランジとしてのフードフランジ１５ｂが外方に突出形成されている。そして、該フードフランジ１５ｂは、前記壁１３の室外側壁面１３ａ上に接合ないし重設配置している。また、前記室外側壁面１３ａ上には、後述する密封シート１６の側縁部１６ａを、前記フードフランジ１５ｂの外縁部１５ｃに所定間隔Ｇ１を有して対向させてかつ貼着している。そして、図２に示すように、前記換気扇フード１５の裾１５ａから前記密封シート１６の側縁部１６ａまでの間隔長Ｇに於ける前記フードフランジ１５ｂ及び前記密封シート１６の各上面に各種のボンド等でなる、例えばガラスパテ、油性コーキング材、弾性シーラント又は液状ガスケット等のシール剤１７を塗布する。
【００２０】
尚、前記所定間隔Ｇ１は前記間隔長Ｇより狭く設定されてあって、換気扇フード１５を室外側壁面１３ａに取付けた際に於ける密封するための重要箇所である。そして、少なくとも当該所定間隔Ｇ１の部位全部を、また、その前後部位つまり間隔長Ｇから該密封シート１６の側縁部１６ａ上面までの位置に、例えばガラスパテ、油性コーキング材、弾性シーラント又は液状ガスケット等のシール剤１７を塗布する必要がある。
【００２１】
次に、前記密封シート１６の構造の各実施例について詳述する。
【００２２】
図３は、当該密封シート１６の第１実施例を示す斜視図である。該密封シート１６は１枚で構成してあって表面紙１６ｂと、該表面紙１６ｂの裏面に接着剤１６ｃを介して剥離紙１６ｄとを貼着して構成している。また、該密封シート１６はその略中央部に前記換気扇フード１５の頭部を挿入しかつ該換気扇フード１５のフードフランジ１５ｂと略同一形状、例えば直径が約１０（ｃｍ）ないし２０（ｃｍ）の円形状の貫通孔１６ｇを穿設している。そして、本発明は如何なる形状のフードフランジ１５ｂにも適用させることができる。
【００２３】
そして、当該密封シート１６は、前記剥離紙１６ｄを表面紙１６ｂから剥離させる。ここで、該表面紙１６ｂの裏面は接着剤１６ｃが残留したままであるので、該接着剤１６ｃの作用により該表面紙１６ｂはフードフランジ１５ｂの外縁１５ｃから所定間隔Ｇ１を有して室外側壁面１３ａ上に貼着させる。
尚、例えばガラスパテ、油性コーキング材、弾性シーラント又は液状ガスケット等の前記シール剤１７の塗布作業については、前述したので省略する。
【００２４】
図４は、当該密封シート１６を２分割した第２実施例を示す側面図であって、（ａ）は、２分割した密封シート１６の表面紙の側縁部を互いに衝合した場合の側面図である。（ｂ）は、２分割した密封シート１６の側縁部を重畳しかつ該側縁部の一方を剥離片とした場合の側面図である。
【００２５】
１６１は２分割した密封シート１６の一方の密封シートである。１６２は２分割した密封シート１６の他方の密封シートである。該密封シート１６１及び１６２は、各々表面紙１６ｂ及び１６ｂと、各々の裏面に接着剤１６ｃを介して該表面紙１６ｂ及び１６ｂに貼着した各剥離紙１６ｄ、１６ｄとを有している。そして、前記密封シート１６１の表面紙１６ｂと密封シート１６２の表面紙１６ｂは、図４（ａ）に示すように、その側縁部１６１ａと１６２ａを衝合した密封シート１６を構成してもよく、また前記剥離紙１６ｄ、１６ｄは本実施例では２枚で構成しているが、１枚で構成し、各表面紙１６ｂ及び１６ｂに共用してもよいものである。
【００２６】
前記図４（ａ）に示す密封シート１６の第２実施例は、前記図３に示す第１実施例に於いて、密封シート１６の表面紙１６ｂの折畳み部Ｈ１、Ｈ２にスリットを刻設することにより構成することができる。
【００２７】
また、前記密封シート１６の第２実施例の変形例として、図４（ｂ）に示すように、側縁部１６１ａと１６２ａを重畳し、かつ、いずれか一方例えば側縁部１６１ａを歪曲した剥離片１６ｅにすれば、例えばガラスパテ、油性コーキング材、弾性シーラント又は液状ガスケット等のシール剤１７の塗布作業完了した後に該密封シート１６１又は１６２の表面紙１６ｂ、１６ｂを前記室外側壁面１３ａ上から剥離し易くなり作業性が向上する。
尚、前記に於いて、２分割した密封シート１６１、１６２が室外側壁面１３ａ上に貼着する前、つまり使用する前は一方の密封シート１６１側の剥離紙１６ｄ１部分を取外し、接着剤１６ｃにより両者の側縁部１６１ａと１６２ａを暫定的に仮接着し、使用時に両者を分離して前記室外側壁面１３ａ上にそれぞれ貼着する。
【００２８】
また、当該密封シート１６を２分割した第２実施例に於いては、２枚で一組の密封シート１６１、１６２となり、その側縁部１６１ａ（図３に適用すれば１６ａに相当する）は、前記換気扇フード１５のフードフランジ１５ｂの一方の形状と略同一の形状、例えば図１に示すフードフランジ１５ｂであれば、円形状を２分割した略半円状の一方の凹陥Ｊ１、その側縁部１６２ａ（図３に適用すれば前記と対面上の１６ａに相当）は、前記換気扇フード１５のフードフランジ１５ｂの他方の形状と略同一の形状、例えば図１に示すフードフランジ１５ｂであれば、円形状を２分割した略半円状の他方の凹陥Ｊ２をそれぞれ形成している。
尚、前記２分割した密封シート１６１及び１６２を室外側壁面１３ａ上に貼着する作業は、上述の第１実施例と略同一であるのでその説明を省略する。
【００２９】
図５は、当該密封シート１６３の第３実施例を示す斜視図である。該密封シート１６３は１枚で構成してあって、表面紙１６ｂと裏面紙１６ｆを接着剤１６ｃを介して貼着構成している。そして、該密封シート１６３の側縁部１６３ａは、前記換気扇フード１５の一方の形状と略同一の形状、例えば図１に示すフードフランジ１５ｂであれば、円形状を２分割した略半円状の凹陥Ｋを形成している。また、前記表面紙１６ｂと裏面紙１６ｆをずらすか又はその一方を幅広に形成し、例えば前記表面紙１６ｂの上端に剥離片１６ｅを設け、該表面紙１６ｂ及び裏面紙１６ｆを室外側壁面１３ａ上に貼着するとき、該剥離片１６ｅを摘み両者を分離し易くする構成にできる。
【００３０】
尚、前記裏面紙１６ｆは表面紙１６ｂと機能が同一であり、その材質や寸法を該表面紙１６ｂと略同一としている。また、表面紙１６ｂと裏面紙１６ｆ間に剥離紙１６ｄを介在させ、該表面紙１６ｂ及び裏面紙１６ｆを前記室外側壁面１３ａ上に貼着する際、これを取外すこととしてもよい。
【００３１】
本発明に係る換気扇フード用取付け密封シート及び密封方法の実施の形態についての動作を説明する。
前述したように、本発明に係る密封シート１６、１６１、１６２、１６３は、その表面紙１６ｂ又は裏面紙１６ｆが剥離紙１６ｄから剥離された後、前記換気扇フード１５のフードフランジの外縁部１５ｃから所定間隔Ｇ１を有して、室外側壁面１３ａ上に接着剤１６ｃによって貼着する。そして、図２に示すように、該密封シート１６、１６１、１６２、１６３の表面紙１６ｂ又は裏面紙１６ｆの側縁部１６ａ、１６１ａ、１６２ａ、１６３ａの上面及び該フードフランジの外縁部１５ｃ上面にボンド等の、例えばガラスパテ、油性コーキング材、弾性シーラント又は液状ガスケット等のシール剤１７が塗布する。かくして、該表面紙１６ｂ又は裏面紙１６ｆを、作業員は例えば剥離片１６ｅが存在するとき、これを摘んで該室外側壁面１３ａから上部に付着している、例えばガラスパテ、油性コーキング材、弾性シーラント又は液状ガスケット等のシール剤１７の一部と一緒に分離かつ剥離させる。然るに、例えばガラスパテ、油性コーキング材、弾性シーラント又は液状ガスケット等のシール剤１７の付着部分、すなわち取外し部分Ｌが取り除かれ、例えばガラスパチ、油性コーキング材、弾性シーラント又は液状ガスケット等の該シール剤１７の外縁部分Ｅは間隔長Ｇで規制され、正面から見れば、例えば略円形状ラインとして美麗に仕上がることとなる。
【００３２】
【発明の効果】
本発明に係る換気扇フード用取付け密封シート及び換気扇フードの取付け密封方法は叙上の構成、動作を有するので、次の効果がある。
【００３３】
請求項１記載の発明によれば、換気扇フードのフードフランジの形状と略同一形状の貫通孔を略中央部に穿設したシートであって、該シートが表面紙と、該表面紙の裏面に塗布した接着剤を介して該表面紙に接離自在に貼着した剥離紙とで構成したことを特徴とする換気扇フード用取付け密封シートを提供する。
このような構成としたので、換気扇フードの本体から容易かつ迅速に挿入すると共に、該換気扇フードのフードフランジの外縁部から所定位置に於ける室外側壁面上に該密封シートを適正に貼着し、更に該密封シートの側縁部及びフードフランジの外縁部上にシール剤を塗布した後に該密封シートを剥離させるので、換気扇フードの取付部分のシール作業が非熟練者でも容易にできる効果がある。
【００３４】
請求項２記載の発明によれば、前記シートの表面紙が２分割した表面紙であって、該２分割した表面紙の側縁部を衝合したことを特徴とする請求項１記載の換気扇フード用取付け密封シートを提供する。
このような構成としたので、密封シートの表面紙を剥離紙から容易に剥離できると共に、換気扇フードのフードフランジが左右非対称である場合にも、対応させた密封シートを提供できる効果がある。
【００３５】
請求項３記載の発明によれば、前記シートの表面紙が２分割した表面紙であって、該２分割した表面紙の側縁部を重畳すると共に、その一方を剥離片にしたことを特徴とする請求項１記載の換気扇フード用取付け密封シートを提供する。
このような構成としたので、密封シートの側縁部及びフードフランジの外縁部上にシール剤を塗布した後に当該密封シートの剥離片を摘むことにより、簡単な操作でもって該密封シートを室外側壁面上から、その上部に残留する例えばガラスパテ、油性コーキング材、弾性シーラント又は液状ガスケット等のシール剤の一部と共に取外すことができる効果がある。
【００３６】
請求項４記載の発明によれば、換気扇フードのフードフランジの一方及び他方の形状と略同一の形状の凹陥を形成した１枚のシートであって、該１枚のシートが表面紙と裏面紙を略同一の材質及び寸法で構成すると共に、該表面紙と裏面紙間に接着剤を介して着脱自在に貼着したことを特徴とする換気扇フード用取付け密封シートを提供する。
このような構成としたので、使用する前に於ける密封シートの寸法を小さく設定でき、持運びや収納を簡便にする効果がある。
【００３７】
請求項５記載の発明によれば、換気扇フードのフードフランジの一方及び他方の形状と略同一の形状の凹陥を形成した２枚の組でなるシートであって、該２枚の組のシートがそれぞれ表面紙と、該表面紙の裏面に塗布した接着剤を介して該表面紙に接離自在に貼着した剥離紙とで構成したことを特徴とする換気扇フード用取付け密封シートを提供する。
このような構成としたので、各種の換気扇フードやフードフランジに適用できると共に、簡単な構造で成立する密封シートを多種多量に生産可能とし、広範囲に於ける換気扇フードの取付部分のシールをすること及び運搬や保存に便利であるという効果がある。
【００３８】
請求項６記載の発明によれば、換気扇フードのフードフランジの形状と略同一形状の貫通孔を略中央部に穿設したシートであって、該シートが２分割した表面紙と、該表面紙の裏面に塗布した接着剤を介して該表面紙に接離自在に貼着した単一の剥離紙とで構成したことを特徴とする換気扇フード用取付け密封シートを提供する。
このような構成としたので、当該密封シートの各表面紙の裏面に一枚の剥離紙で共用したので、密封シートの構造が簡素であるばかりか、該剥離紙に於ける表面紙からの剥離作業が極めて容易となり作業性が向上する効果がある。
【００３９】
請求項７記載の発明によれば、前記フードフランジの形状が略円形、略馬蹄形又は略矩形でなることを特徴とする請求項１、２、３、４、５又は６記載の換気扇フード用取付け密封シートを提供する。
このような構成としたので、本発明に於ける密封シートを各種の広範囲に使用されているフードフランジに適用させることができる効果がある。
【００４０】
請求項８記載の発明によれば、建物の壁と、該壁の一部に設けた壁面開口部と、該壁面開口部に取付ける換気扇フードのフードフランジでなる構成に於いて、前記請求項１ないし７記載のいずれかの換気扇フード用取付け密封シートの表面紙又は裏面紙の側縁部を、本体枠を含む室外側壁面上であって前記フードフランジの外縁部に所定間隔を有して対向した位置に貼着し、該密封シートの側縁部及び前記該換気扇フードのフードフランジ上にシール剤を塗布した後、該密封シートを該室外側壁面上から剥離したことを特徴とする換気扇フードの密封方法を提供する。
このような構成としたので、各種の換気扇フードの取付部分に於ける非熟練者でもってシール作業を容易かつ迅速に完了させ、作業効率を高めると共に、シール作業完了後に於ける換気扇フードの取付部分を美麗に仕上げ、もって、例えばガラスパテ、油性コーキング材、弾性シーラント又は液状ガスケット等のシール剤の合理的な使用を行い、換気扇フード自体及び施工工事品質の向上を実現する効果がある。
【図面の簡単な説明】
【図１】本発明に係る換気扇フード用取付け密封シート及び換気扇フードの取付け密封方法の実施の形態１を示す斜視図である。
【図２】前記図１の矢視Ｆ−Ｆ方向の断面図である。
【図３】本発明に係る換気扇フード用取付け密封シートの例であって、第１実施例を示す斜視図である。
【図４】本発明に係る換気扇フード用取付け密封シートの例であって、第２実施例を示す側面図であって、（ａ）は当該密封シートの各表面紙の側縁部を衝合した側面図である。（ｂ）は各表面紙の側縁部を重畳した側面図である。
【図５】本発明に係る換気扇用フード取付け密封シートの例であって、第３実施例を示す斜視図である。
【図６】従来の技術に於ける換気扇フード取付構造の一例を示す断面図である。
【図７】従来の技術に於ける換気扇フード取付構造の他の例を示す斜視図である。
【符号の説明】
１３　　　　　壁
１３ａ　　　　室外側壁面
１４　　　　　壁面開口部
１５　　　　　換気扇フード
１５ａ　　　　換気扇フードの裾
１５ｂ　　　　換気扇フードのフードフランジ
１５ｃ　　　　換気扇フードの外縁部
１５ｄ　　　　換気扇フードの開口
１６　　　　　密封シート
１６ａ　　　　密封シートの側縁部
１６ｂ　　　　密封シートの表面紙
１６ｃ　　　　密封シートの接着剤
１６ｄ　　　　密封シートの剥離紙
１６ｄ１　　　密封シートの剥離紙
１６ｅ　　　　密封シートの剥離片
１６ｆ　　　　密封シートの裏面紙
１６ｇ　　　　密封シートの貫通孔
１６１　　　　一方の密封シート
１６１ａ　　　一方の密封シートの側縁部
１６２　　　　他方の密封シート
１６２ａ　　　他方の密封シートの側縁部
１７　　　　　シール剤
Ｅ　　　　　　シール剤の外縁部分
Ｇ　　　　　　換気扇フードの裾から密封シートの側縁部までの間隔長
Ｇ１　　　　　フードフランジの外縁部から密封シートの側縁部までの間隔
Ｊ１　　　　　一方の凹陥
Ｊ２　　　　　他方の凹陥
Ｋ　　　　　　凹陥
Ｌ　　　　　　シール剤の取外し部分
【図１】
2004028383.tif 000003
【図２】
2004028383.tif 000004
【図３】
2004028383.tif 000005
【図４】
2004028383.tif 000006
【図５】
2004028383.tif 000007
【図６】
2004028383.tif 000008
【図７】
2004028383.tif 000009